(57)【要約】本発明は、広帯域無線接続システムに関し、特にあらかじめセカンダリキャリアを割り当てるハンドオーバーを行う際に、サービング基地局とターゲット基地局のマルチキャリア設定が異なる場合にセカンダリキャリア情報を更新する方法及びその装置に関する。本発明の一実施例に係る多重キャリアを支援する広帯域無線接続システムにおいて端末がハンドオーバーを行う方法は、サービング基地局から、ターゲット基地局が前記端末にあらかじめ割り当てる少なくとも一つのセカンダリキャリアに関するキャリア割当情報を含む第１メッセージを受信すること、前記ターゲット基地局に網再進入を行すこと、及び前記サービング基地局と前記ターゲット基地局のマルチキャリア設定（ＭＣ  ｃｏｎｆｉｇｕｒａｔｉｏｎ）が同一であるか否かを判断し、同一でないと、前記ターゲット基地局にマルチキャリア能力の交渉を要請する第２メッセージを伝送すること、を含むことができる。【選択図】図５
2013528028.tif 000002
【特許請求の範囲】
【請求項１】
多重キャリアを支援する広帯域無線接続システムにおいて端末がハンドオーバーを行う方法であって、
サービング基地局から、ターゲット基地局が前記端末にあらかじめ割り当てた少なくとも一つのセカンダリキャリアに関するキャリア割当情報を含む第１メッセージを受信し、
前記サービング基地局と前記ターゲット基地局のマルチキャリア設定（ＭＣ  ｃｏｎｆｉｇｕｒａｔｉｏｎ）が同一であるか否かを判断し、
前記ターゲット基地局へ網再進入を行い、
前記判断の結果、同一でないと、前記ターゲット基地局にマルチキャリア能力の交渉を要請する第２メッセージを伝送すること、
を含む、ハンドオーバー方法。
【請求項２】
前記サービング基地局から隣接基地局のシステム情報を含む隣公示（ＡＡＩ−ＮＢＲ−ＡＤＶ）メッセージを受信することをさらに含み、
前記同一であるか否かの判断は、
前記隣公示メッセージに含まれた前記ターゲット基地局のシステム情報のうち、マルチキャリア設定情報と、前記サービング基地局のマルチキャリア設定情報とを比較して行うことを特徴とする、請求項１に記載のハンドオーバー方法。
【請求項３】
前記ターゲット基地局の可用キャリアのうち、端末のセカンダリキャリアとして割り当てられるキャリアリストを含むマルチキャリア応答メッセージを、前記第２メッセージに対する応答として前記ターゲット基地局から受信することをさらに含む、、請求項１に記載のハンドオーバー方法。
【請求項４】
前記少なくとも一つのセカンダリキャリアをあらかじめ割り当てることを要請するための情報を含むハンドオーバー要請メッセージを、前記サービング基地局に伝送することをさらに含む、請求項１に記載のハンドオーバー方法。
【請求項５】
前記第１メッセージは、ハンドオーバー命令（ＡＡＩ−ＨＯ−ＣＭＤ）メッセージであり、
前記第２メッセージは、マルチキャリア要請（ＡＡＩ−ＭＣ−ＲＥＱ）メッセージであることを特徴とする、請求項１に記載のハンドオーバー方法。
【請求項６】
多重キャリアを支援する広帯域無線接続システムにおいてサービング基地局が端末のハンドオーバーを支援する方法であって、
前記端末のマルチキャリア能力情報、及び少なくとも一つのセカンダリキャリアを前記端末にあらかじめ割り当てることを要請する要請情報を、ターゲット基地局に伝送し、
前記端末に前記ターゲット基地局があらかじめ割り当てる少なくとも一つのセカンダリキャリアに関するキャリア割当情報を、前記ターゲット基地局から受信し、
前記端末に、前記キャリア割当情報を含むハンドオーバー命令（ＡＡＩ−ＨＯ−ＣＭＤ）メッセージを伝送すること、
を含む、ハンドオーバー支援方法。
【請求項７】
少なくとも一つのセカンダリキャリアを前記端末にあらかじめ割り当てることを要請する指示子を含むハンドオーバー要請（ＡＡＩ−ＨＯ−ＣＭＤ）メッセージを、前記端末から受信することをさらに含む、請求項６に記載のハンドオーバー支援方法。
【請求項８】
前記ハンドオーバー命令メッセージは、
前記端末に前記ターゲット基地局とマルチキャリア能力の交渉を行うか否かを指示するフィールドをさらに含む、請求項６に記載のハンドオーバー支援方法。
【請求項９】
前記ターゲット基地局のマルチキャリア設定情報がサービング基地局のマルチキャリア設定情報と同一であるか否かを比較することをさらに含み、
前記フィールドは、
前記比較結果が同一でないと、前記マルチキャリア能力の交渉を行うことを指示する値に設定され、前記比較結果が同一であると、前記マルチキャリア能力の交渉を行わないことを指示する値に設定される、請求項８に記載のハンドオーバー支援方法。
【請求項１０】
前記ターゲット基地局への伝送及び前記ターゲット基地局からの受信は、バックボーン網を通じて行われ、
前記端末への伝送は、プライマリキャリアを通じて行われる、請求項６に記載のハンドオーバー支援方法。
【請求項１１】
多重キャリアを支援する広帯域無線接続システムにおいて動作する端末装置であって、
プロセッサと、
前記プロセッサの制御によって外部と無線信号を送受信する無線通信（ＲＦ）モジュールと、
を備え、
前記プロセッサは、
ターゲット基地局があらかじめ割り当てた少なくとも一つのセカンダリキャリアに関するキャリア割当情報が、サービング基地局から伝送された第１メッセージから獲得されると、前記ターゲット基地局へ網再進入を行い、前記サービング基地局と前記ターゲット基地局のマルチキャリア設定（ＭＣ  ｃｏｎｆｉｇｕｒａｔｉｏｎ）が同一であるか否か判断し、同一でないと、前記ターゲット基地局にマルチキャリア能力の交渉を要請する第２メッセージが伝送されるように制御することを特徴とする、端末装置。
【請求項１２】
前記プロセッサは、
前記サービング基地局から伝送された隣公示（ＡＡＩ−ＮＢＲ−ＡＤＶ）メッセージから隣接基地局のシステム情報を獲得し、前記隣接基地局のシステム情報に含まれた前記ターゲット基地局のシステム情報のうち、マルチキャリア設定情報と、前記サービング基地局のマルチキャリア設定情報とを比較することで、前記同一であるか否かの判断を行うことを特徴とする、請求項１１に記載の端末装置。
【請求項１３】
前記プロセッサは、
前記ターゲット基地局の可用キャリアのうち、端末のセカンダリキャリアとして割り当てられるキャリアリストを、前記第２メッセージに対する応答として前記ターゲット基地局から受信されるマルチキャリア応答（ＡＡＩ−ＭＣ−ＲＳＰ）メッセージから獲得するように制御することを特徴とする、請求項１１に記載の端末装置。
【請求項１４】
前記プロセッサは、
前記少なくとも一つのセカンダリキャリアをあらかじめ割り当てることを要請するための情報を含むハンドオーバー要請メッセージが前記サービング基地局に伝送されるように制御することを特徴とする、請求項１１に記載の端末装置。
【請求項１５】
前記第１メッセージは、ハンドオーバー命令（ＡＡＩ−ＨＯ−ＣＭＤ）メッセージであり、
前記第２メッセージは、マルチキャリア要請（ＡＡＩ−ＭＣ−ＲＥＱ）メッセージであることを特徴とする、請求項１１に記載の端末装置。
【発明の詳細な説明】
【技術分野】
【０００１】
本発明は、広帯域無線接続システムに係り、特に、あらかじめセカンダリキャリアを割り当てるハンドオーバーを行う際に、サービング基地局とターゲット基地局のマルチキャリア設定が異なる場合にセカンダリキャリア情報を更新する方法及びその装置に関する。
【背景技術】
【０００２】
以下では、キャリア（Ｃａｒｒｉｅｒ）について簡略に説明する。
【０００３】
ユーザーは、正弦波または周期的なパルス波の振幅、周波数及び／または位相などに変調を行うことで、伝送しようとする情報を含めることができる。ここで、情報を搬送する役割を担う正弦波またはパルス波をキャリアと呼ぶ。
【０００４】
キャリアを変調する方式には、シングルキャリア変調方式（ＳＣＭ：Ｓｉｎｇｌｅ−Ｃａｒｒｉｅｒ  Ｍｏｄｕｌａｒｔｉｏｎ  ｓｃｈｅｍｅ）またはマルチキャリア（ＭＣＭ：Ｍｕｌｔｉ−Ｃａｒｒｉｅｒ  Ｍｏｄｕｌａｔｉｏｎ  ｓｃｈｅｍｅ）変調方式がある。特に、シングルキャリア変調方式は、一つのキャリアに全ての情報を載せて変調する方式のことをいう。
【０００５】
マルチキャリア変調方式は、一つのキャリアの全体帯域幅チャネル（Ｃｈａｎｎｅｌ）を、複数個の小さい帯域幅を有する副チャネル（Ｓｕｂ−ｃｈａｎｎｅｌ）に分け、  各副チャネルを通じて、複数の狭帯域のサブキャリア（Ｓｕｂ−Ｃａｒｒｉｅｒ）を多重に伝送する技術のことをいう。
【０００６】
このマルチキャリア変調方式（ＭＣＭ）を用いると、各副チャネルは、小さい帯域幅によって平坦な特性（Ｆｌａｔ  Ｃｈａｎｎｅｌ）に近似化できる。また、ユーザーは、簡単な等化器を用いてチャネルの歪を補償することができる。また、マルチキャリア変調方式は、高速フーリエ変換（ＦＦＴ）を用いて高速具現が可能である。すなわち、シングルキャリア変調方式（ＳＣＭ）に比べて、高速のデータ伝送に有利である。
【０００７】
基地局及び／または端末機の性能が進展するに伴って、基地局及び／または端末機で提供したり使用したりできる周波数帯域幅は拡大しつつある。そこで、本発明の実施例では、一つ以上のキャリアを組み合わせて用いること（Ｃａｒｒｉｅｒ  ａｇｇｒｅｇａｔｉｏｎ）によって広帯域を支援するマルチキャリアシステムを開示している。
【０００８】
すなわち、以下に説明するマルチキャリアシステムは、上述した一つのキャリアを分けて用いるマルチキャリア変調方式とは違い、一つ以上のキャリアを組み合わせて用いる場合に相当する。
【０００９】
多重帯域（Ｍｕｌｔｉ−Ｂａｎｄ）（または、マルチキャリア（Ｍｕｌｔｉ−Ｃａｒｒｉｅｒ））を效率的に用いるべく、複数のキャリア（例えば、複数の周波数キャリア（ＦＣ：Ｆｒｅｑｕｅｎｃｙ  Ｃａｒｒｉｅｒ））を一つの媒体接続制御（ＭＡＣ）エンティティが管理する技術が提案されてきている。
【００１０】
図１の（ａ）及び（ｂ）は、多重帯域無線周波数（ＲＦ：Ｒａｄｉｏ  Ｆｒｅｑｕｅｎｃｙ）ベースの信号送受信方法を説明するための図である。
【００１１】
図１に示すように、送信端及び受信端において一つの媒体接続制御層は、マルチキャリアを效率的に用いるために複数個のキャリアを管理することができる。ここで、マルチキャリアを效果的に送受信するために、送信端及び受信端両方ともマルチキャリアを送受信できると仮定する。この場合、一つの媒体接続制御層で管理される周波数キャリア（ＦＣ）は互いに隣接する必要はないから、リソース管理の側面で柔軟である。すなわち、隣接キャリア組み合わせ（Ｃｏｎｔｉｇｕｏｕｓ  Ａｇｇｒｅｇａｔｉｏｎ）も、非隣接キャリア組み合わせ（Ｎｏｎ−ｃｏｎｔｉｇｕｏｕｓ  Ａｇｇｒｅｇａｔｉｏｎ）も可能である。
【００１２】
図１の（ａ）及び（ｂ）において、物理層（ＰＨＹ）０、物理層１、…、物理層ｎ−２、物理層ｎ−１は、本技術に係る多重帯域を示し、それぞれの帯域は、あらかじめ定められた周波数政策に従って特定サービスのために割り当てる周波数キャリア（ＦＣ）サイズを有することができる。例えば、物理層０（ＲＦ  ｃａｒｒｉｅｒ  ０）は、一般ＦＭラジオ放送のために割り当てる周波数帯域のサイズを有することができ、物理層１（ＲＦ  ｃａｒｒｉｅｒ  １）は、携帯電話通信のために割り当てる周波数帯域のサイズを有することができる。
【００１３】
このように、それぞれの周波数帯域は、それぞれの周波数帯域の特性によって異なる周波数帯域サイズを有することができるが、以下の説明では、説明の便宜上、各周波数キャリア（ＦＣ）がＡ［ＭＨｚ］サイズを有すると仮定する。また、それぞれの周波数割当帯域は、基底帯域信号を各周波数帯域で用いるためのキャリア周波数に代表されうるので、以下では、各周波数割当帯域を「キャリア周波数帯域」、または、混同がない限り、各キャリア周波数帯域を代表する単に「キャリア」と呼ぶものとする。また、最近の３ＧＰＰ  ＬＴＥ−Ａ）でのように、上述のキャリアを、マルチキャリア方式で用いられるサブキャリア（ｓｕｂ  ｃａｒｒｉｅｒ）と区別するために、「コンポーネントキャリア（ｃｏｍｐｏｎｅｎｔ  ｃａｒｒｉｅｒ）」と呼ぶこともできる。
【００１４】
このことから、上述した「多重帯域」方式を、「多重キャリア（Ｍｕｌｔｉ  Ｃａｒｒｉｅｒ）」方式または「キャリア組み合わせ（ｃａｒｒｉｅｒ  ａｇｇｒｅｇａｔｉｏｎ）」方式と呼ぶこともできる。
【００１５】
図２には、一般の無線通信システムで多重搬送波が用いられる形態の一例を示す。
【００１６】
一般の技術における多重搬送波は、図２の（ａ）に示すように、連続する搬送波の組み合わせ（ｃｏｎｔｉｇｕｏｕｓ  ｃａｒｒｉｅｒ  ａｇｇｒｅｇａｔｉｏｎ）でもよく、図２の（ｂ）に示すように、不連続する搬送波の組み合わせ（ｎｏｎ−ｃｏｎｔｉｇｕｏｕｓ  ｃａｒｒｉｅｒ  ａｇｇｒｅｇａｔｉｏｎ）でもよい。このように搬送波を組み合わせる単位は、一般の技術であるレガシーシステム（例えば、ＬＴＥ（Ｌｏｎｇ  Ｔｅｒｍ  Ｅｖｏｌｕｔｉｏｎ）−ａｄｖａｎｃｅｄシステムの場合はＬＴＥ、ＩＥＥＥ  ８０２．１６ｍシステムの場合はＩＥＥＥ  ８０２．１６ｅ）の基本帯域幅単位である。一般の技術の多重搬送波環境では、下記のような２タイプの搬送波を定義する。
【００１７】
まず、第１搬送波（または、プライマリキャリア（ｐｒｉｍａｒｙ  ｃａｒｒｉｅｒ））は、端末と基地局のトラフィック、完全な物理層及び媒体接続制御層制御情報（ｆｕｌｌ  ＰＨＹ／ＭＡＣ  ｃｏｎｔｒｏｌ  ｉｎｆｏｒｍａｔｉｏｎ）の交換が行われる搬送波のことを指す。また、プライマリキャリアは、網進入のような端末の一般的な動作に用いられてもよい。各端末は、一つのセルで一つのプライマリキャリアを有する。
【００１８】
そして、第２搬送波（または、セカンダリキャリア（ｓｅｃｏｎｄａｒｙ  ｃａｒｒｉｅｅｒ））は、通常、第１搬送波から受信される基地局特定の割当命令と法則に基づくトラフィックの交換に用いられうる付加的な搬送波のことを指す。第２搬送波は、マルチキャリア動作を支援するための制御シグナリングを含むことができる。一般に、プライマリキャリアを通じて全ての制御情報の他、セカンダリキャリアに関する情報も受け、セカンダリキャリアを通じてデータの送受信を行うこととなる。
【００１９】
一般の技術は、上述したプライマリ及びセカンダリキャリアに基づいて多重搬送波（ｍｕｌｔｉ−ｃａｒｒｉｅｒ）システムの搬送波を、下記のように、全体設定搬送波（Ｆｕｌｌｙ  ｃｏｎｆｉｇｕｒｅｄ  ｃａｒｒｉｅｒ）と部分設定搬送波（Ｐａｒｔｉａｌｌｙ  ｃｏｎｆｉｇｕｒｅｄ  ｃａｒｒｉｅｒ）とに区別することができる。
【００２０】
まず、全体設定搬送波は、同期化、放送、マルチキャスト及びユニキャスト制御チャネルを含む全ての制御シグナリングが設定される搬送波のことを指す。また、これらのチャネルに、多重搬送波運用と他の搬送波に関する情報及びパラメータが含まれてもよい。
【００２１】
部分設定搬送波は、時分割二重化ダウンリンク伝送（ＴＤＤ  ＤＬ  ｔｒａｎｓｍｉｓｓｉｏｎ）または周波数分割二重化（ＦＤＤ）モードにおいて対となるアップリンクキャリアがないダウンリンクキャリアで、ダウンリンク伝送を支援するための全ての制御チャネルが設定されるキャリアのことを指す。ある端末に設定された全体設定搬送波であるセカンダリキャリアは、他の端末のプライマリキャリアとして割り当てられてもよい。
【００２２】
一般に、端末は、プライマリキャリアを通じて網初期進入（ｉｎｉｔｉａｌ  ｎｅｔｗｏｒｋ  ｅｎｔｒｙ）を行い、基地局との登録要請／応答（ＡＡＩ＿ＲＥＧ−ＲＥＱ／ＲＳＰ）メッセージの交換を通じた登録過程で相互間のマルチキャリア能力に関する情報を交換することができる。
【００２３】
上述したように、端末、基地局両方ともマルチキャリアを支援するシステムでは、ハンドオーバー（Ｈａｎｄｏｖｅｒ、ＨＯ）もマルチキャリアを通じて行うことができる。ハンドオーバーとは、端末が、ある基地局の無線インターフェースから他の基地局の無線インターフェースへと移動することをいう。一般のハンドオーバーでは、一つのキャリアを通じてある基地局から他の基地局へと無線インターフェースを変更するが、マルチキャリア環境におけるハンドオーバーでは、まず、プライマリキャリアを通じてターゲット基地局の網再進入を行い、セカンダリキャリアを活性化させる形態で無線インターフェースが変更される。この時、ターゲット基地局はサービング基地局とバックボーン網を通じて端末に関する情報を交換しながら、あらかじめ、当該端末に割り当てられるセカンダリキャリア（ｓｅｃｏｎｄａｒｙ  ｃａｒｒｉｅｒｐｒｅ−ａｓｓｉｇｎｍｅｎｔ）に関する情報をサービング基地局に伝達することができる。ただし、ターゲット基地局が端末にセカンダリキャリアをあらかじめ割り当てる時には、サービング基地局が保有している端末に関する情報に基づいてセカンダリキャリアを割り当てるので、サービング基地局とターゲット基地局のキャリア設定が異なる場合には、最適のセカンダリキャリアの割当が困難であるという問題点がある。
【発明の概要】
【発明が解決しようとする課題】
【００２４】
本発明は上記一般の技術の問題点を解決するために案出されたもので、その目的は、より効率的にマルチキャリア動作を行う方法を提供することにある。
【００２５】
本発明の他の目的は、マルチキャリア環境で端末がハンドオーバーを行う時に、效率的にターゲット基地局のキャリア設定情報を更新し、且つセカンダリキャリアを割り当てられるための方法を提供することにある。
【００２６】
本発明で達成しようとする技術的課題は、以上に言及している技術的課題に制限されるものではなく、言及していない別の技術的課題は、下の記載から、本発明の属する技術の分野における通常の知識を有する者には明確に理解されるであろう。
【課題を解決するための手段】
【００２７】
上記の技術的課題を達成するために、本発明の一実施例に係る多重キャリアを支援する広帯域無線接続システムにおいて端末がハンドオーバーを行う方法は、サービング基地局から、ターゲット基地局が前記端末にあらかじめ割り当てる少なくとも一つのセカンダリキャリアに関するキャリア割当情報を含む第１メッセージを受信すること、前記ターゲット基地局に網再進入を行うこと、及び前記サービング基地局と前記ターゲット基地局のマルチキャリア設定（ＭＣ  ｃｏｎｆｉｇｕｒａｔｉｏｎ）が同一であるか否かを判断し、同一でないと、前記ターゲット基地局にマルチキャリア能力の交渉を要請する第２メッセージを伝送すること、を含むことができる。
【００２８】
ここで、前記サービング基地局から、隣接基地局のシステム情報を含む隣公示（ＡＡＩ−ＮＢＲ−ＡＤＶ）メッセージを受信することをさらに含み、前記同一であるか否かの判断は、前記隣公示メッセージに含まれた前記ターゲット基地局のシステム情報のうち、マルチキャリア設定情報と、前記サービング基地局のマルチキャリア設定情報とを比較することによって行われると好ましい。
【００２９】
また、サービング基地局が前記ターゲット基地局の可用キャリアのうち、端末のセカンダリキャリアとして割り当てられるサブセットを示すキャリアリストを含むマルチキャリア応答メッセージを、前記第１メッセージに対する応答として前記ターゲット基地局から受信することをさらに含むことができる。
【００３０】
また、前記少なくとも一つのセカンダリキャリアをあらかじめ割り当てることを要請するための情報を含むハンドオーバー要請メッセージを、前記サービング基地局に伝送することをさらに含むことができる。
【００３１】
なお、前記第１メッセージは、ハンドオーバー命令（ＡＡＩ−ＨＯ−ＣＭＤ）メッセージであり、前記第２メッセージは、マルチキャリア要請（ＡＡＩ−ＭＣ−ＲＥＱ）メッセージであると好ましい。
【００３２】
上記の技術的課題を達成するために、本発明の一実施例に係る、多重キャリアを支援する広帯域無線接続システムにおいてサービング基地局が端末のハンドオーバーを支援する方法は、前記端末のマルチキャリア能力情報、及び少なくとも一つのセカンダリキャリアを前記端末にあらかじめ割り当てることを要請する要請情報を、ターゲット基地局に伝送すること、前記端末に前記ターゲット基地局があらかじめ割り当てる少なくとも一つのセカンダリキャリアに関するキャリア割当情報を、前記ターゲット基地局から受信すること、及び前記端末に、前記キャリア割当情報を含むハンドオーバー命令（ＡＡＩ−ＨＯ−ＣＭＤ）メッセージを伝送すること、を含むことができる。
【００３３】
ここで、少なくとも一つのセカンダリキャリアを前記端末にあらかじめ割り当てることを要請する指示子を含むハンドオーバー要請（ＡＡＩ−ＨＯ−ＣＭＤ）メッセージを、前記端末から受信することをさらに含むことができる。
【００３４】
また、前記ハンドオーバー命令メッセージは、前記端末に前記ターゲット基地局とマルチキャリア能力の交渉を行うか否かを指示するフィールドをさらに含むことができる。
【００３５】
また、前記ターゲット基地局のマルチキャリア設定情報がサービング基地局のマルチキャリア設定情報と同一であるか否かを比較することをさらに含み、前記フィールドは、前記比較の結果、同一でないと、前記マルチキャリア能力の交渉を行うことを指示する値に設定され、同一であると、前記マルチキャリア能力の交渉を行わないことを指示する値に設定されるとよい。
【００３６】
なお、前記ターゲット基地局への伝送及び前記ターゲット基地局からの受信は、バックボーン網を通じて行われ、前記端末への伝送は、プライマリキャリアを通じて行われると好ましい。
【００３７】
上記の技術的課題を達成するために、本発明の一実施例に係る、多重キャリアを支援する広帯域無線接続システムにおいて動作する端末装置は、プロセッサと、前記プロセッサの制御によって外部と無線信号を送受信するための無線通信（ＲＦ）モジュールと、を備えることができる。ここで、前記プロセッサは、ターゲット基地局があらかじめ割り当てる少なくとも一つのセカンダリキャリアに関するキャリア割当情報が、サービング基地局から伝送される第１メッセージから獲得されると、前記サービング基地局と前記ターゲット基地局のマルチキャリア設定が同一であるか否かを判断し、前記ターゲット基地局へ網再進入を行う。もし、前記サービング基地局と前記ターゲット基地局のマルチキャリア設定が同一でないと、前記ターゲット基地局にマルチキャリア能力の交渉を要請する第２メッセージが伝送されるように制御することができる。
【００３８】
ここで、前記プロセッサは、前記サービング基地局から伝送される隣公示（ＡＡＩ−ＮＢＲ−ＡＤＶ）メッセージから隣接基地局のシステム情報を獲得し、前記隣接基地局のシステム情報に含まれた前記ターゲット基地局のシステム情報のうちマルチキャリア設定情報と前記サービング基地局のマルチキャリア設定情報とを比較し、前記同一であるか否かの判断を行うことができる。
【００３９】
また、前記プロセッサは、前記ターゲット基地局の可用キャリアのうち、端末のセカンダリキャリアとして割り当てられるサブセットを示すキャリアリストを、前記第２メッセージに対する応答として前記ターゲット基地局から受信するマルチキャリア応答（ＡＡＩ−ＭＣ−ＲＳＰ）メッセージから獲得するように制御できる。
【００４０】
また、前記プロセッサは、前記少なくとも一つのセカンダリキャリアをあらかじめ割り当てることを要請するための情報を含むハンドオーバー要請メッセージが、前記サービング基地局に伝送されるように制御することができる。
【００４１】
なお、前記第１メッセージは、ハンドオーバー命令（ＡＡＩ−ＨＯ−ＣＭＤ）メッセージであり、前記第２メッセージは、マルチキャリア要請（ＡＡＩ−ＭＣ−ＲＥＱ）メッセージであると好ましい。
【発明の効果】
【００４２】
本発明の実施例によれば、下記の効果が得られる。
【００４３】
第一に、本発明の実施例によれば、より効率的なマルチキャリア動作を端末と基地局間に行うことが可能になる。
【００４４】
第二に、本発明の実施例によれば、端末は、ターゲット基地局のキャリア設定がサービング基地局のそれと同一でない場合に、ターゲット基地局とマルチキャリア設定を更新することで、より効率的にキャリア管理を行うことが可能になる。
【００４５】
本発明で得られる効果は、以上に言及した効果に制限されず、言及していない他の効果は、下の記載から、本発明の属する技術の分野における通常の知識を有する者であれば明確に理解されるであろう。
【図面の簡単な説明】
【００４６】
【図１】図１の（ａ）及び（ｂ）は、多重帯域無線周波数（ＲＦ：Ｒａｄｉｏ  Ｆｒｅｑｕｅｎｃｙ）ベースの信号送受信方法を説明するための図である。
【図２】図２は、一般の無線通信システムにおいて多重搬送波が用いられる形態の一例を示す図である。
【図３】図３は、本発明の適用される広帯域無線接続システムにおいて、基地局が端末に一つ以上のキャリアを割り当てる手順の一例を説明するための図である。
【図４】図４は、本発明の適用されるマルチキャリア環境において、ターゲット基地局のセカンダリキャリアがあらかじめ端末に割り当てられるハンドオーバー手順の一例を説明するための図である。
【図５】図５は、本発明の一実施例に係るマルチキャリア環境におけるハンドオーバー手順の一例を示す図である。
【図６】図６は、本発明の他の実施例でって、送信端及び受信端構造の一例を示すブロック図である。
【発明を実施するための形態】
【００４７】
本発明は、無線接続システムに関する。以下、本発明の実施例は、ターゲット基地局のセカンダリキャリアがあらかじめ端末に割り当てられるハンドオーバー手順において効率的なマルチキャリア情報の更新方法について開示する。
【００４８】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００４９】
図面に関する説明において、本発明の要旨を曖昧にさせるような手順または段階などは省き、さらに当業者のレベルで理解できるような手順または段階も省いた。
【００５０】
本明細書では、本発明の実施例を、基地局と端末との間におけるデータ送受信の関係を中心に説明した。ここで、基地局は、端末と通信を直接行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００５１】
すなわち、基地局を含む多数のネットワークノード（ｎｅｔｗｏｒｋ  ｎｏｄｅｓ）からなるネットワークにおいて、端末との通信のために行われる種々の動作を、基地局または基地局以外の他のネットワークノードで行うことができる。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）またはＡＢＳ（Ａｄｖａｎｃｅｄ  Ｂａｓｅ  Ｓｔａｔｉｏｎ）などの用語に代えてもよい。また、「移動端末（ＭＳ：Ｍｏｂｉｌｅ  Ｓｔａｔｉｏｎ）」は、ＵＥ（Ｕｓｅｒ  Ｅｑｕｉｐｍｅｎｔ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）または端末（Ｍｏｂｉｌｅ  Ｔｅｒｍｉｎａｌ）などの用語に代えてもよい。
【００５２】
また、送信端は、データまたは音声サービスを伝送するノードのことを指し、受信端は、データまたは音声サービスを受信するノードのことを指す。そのため、アップリンクでは、端末が送信端になり、基地局が受信端になりうる。同様に、ダウンリンクでは、端末が受信端になり、基地局が送信端になりうる。
【００５３】
一方、本発明の移動端末には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【００５４】
本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【００５５】
ハードウェアによる具現の場合に、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【００５６】
ファームウェアやソフトウェアによる具現の場合に、本発明の実施例に係る方法は、以上で説明された機能または動作を行うモジュール、手順または関数などの形態とすることができる。ソフトウェアコードは、メモリーユニットに記憶し、プロセッサで駆動することができる。メモリーユニットは、プロセッサの内部または外部に設けられて、既に公知の様々な手段によりプロセッサとデータを授受することができる。
【００５７】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示されている標準文書でサポートできる。すなわち、本発明の実施例において、本発明の技術的思想を明確にするために説明を省略した段階または部分は、上記の文書でサポートできる。また、本文書で開示している用語はいずれも、上記の標準文書により説明することができる。特に、本発明の実施例は、ＩＥＥＥ  ８０２．１６システムの標準文書であるＰ８０２．１６−２００４、Ｐ８０２．１６ｅ−２００５、Ｐ８０２．１６Ｒｅｖ２及びＰ８０２．１６ｍ文書の少なくとも一つでサーボートできる。
【００５８】
以下の説明で使われる特定用語は、本発明の理解を助けるために提供されているもので、これらの特定用語の使用は、本発明の技術的思想から逸脱しない範囲で他の形態に変更可能である。
【００５９】
本明細書は、ＩＥＥＥ  ８０２．１６システムを取り上げて説明する。特に、以下に登場する端末は、ＩＥＥＥ  ８０２．１６ｍ標準で定義する規格を満たすＡＭＳ（Ａｄｖａｎｃｅｄ  Ｍｏｂｉｌｅ  Ｓｔａｔｉｏｎ）であり、基地局は、同標準規格のＡＢＳ（Ａｄｖａｎｃｅｄ  Ｂａｓｅ  Ｓｔａｔｉｏｎ）であるとする。
【００６０】
まず、マルチキャリア動作で使われる用語を定義する。
【００６１】
１．可用キャリア（Ａｖａｉｌａｂｌｅ  ｃａｒｒｉｅｒ）は、基地局（ＡＢＳ）に属する全てのキャリアを意味する。端末は、可用キャリアに関する情報をグローバルキャリア設定（ＡＡＩ＿Ｇｌｏｂａｌ−ｃｏｎｆｉｇ）メッセージまたはマルチキャリア公示（ＡＡＩ＿ＭＣ−ＡＤＶ）メッセージを通じて獲得することができる。
【００６２】
２．割当キャリア（Ａｓｓｉｇｎｅｄ  ｃａｒｒｉｅｒ）は、端末の能力（ｃａｐａｂｉｌｉｔｙ）に基づいて基地局が端末に割り当てる可用キャリアのサブセット（ｓｕｂｓｅｔ）を意味する。すなわち、基地局は、端末の能力を考慮して自身の可用キャリアの一つ以上を、端末の割当セカンダリキャリア（Ａｓｓｉｇｎｅｄ  ｓｅｃｏｎｄａｒｙ  ｃａｒｒｉｅｒ）として割り当てることができる。
【００６３】
３．活性キャリア（Ａｃｔｉｖｅ  ｃａｒｒｉｅｒ）は、端末と基地局間に実際にデータを交換する準備が出来ているキャリアを意味するもので、割当キャリアのサブセットでよい。割当セカンダリキャリアの活性化／非活性化（ａｃｔｉｖａｔｉｏｎ／ｄｅａｃｔｉｖａｔｉｏｎ）は、サービス品質（ＱｏＳ）要求に基づく基地局の判断によって決定することができる。基地局は端末に特定セカンダリキャリアに対する活性化／非活性化をキャリア管理命令（ＡＡＩ＿ＣＭ−ＣＭＤ）メッセージを通じて指示することができる。
【００６４】
上述の定義に基づき、以下では、基地局が網進入手順から端末にキャリアを割り当てる手順、及びマルチキャリア環境であらかじめ端末にターゲット基地局のセカンダリキャリアが割り当てられるハンドオーバー手順について、図３及び図４をそれぞれ参照して説明する。
【００６５】
図３は、本発明の適用される広帯域無線接続システムにおいて基地局が端末に一つ以上のキャリアを割り当てる手順の一例を説明するための図である。
【００６６】
図３を参照すると、端末（ＡＭＳ）は基地局（ＡＢＳ）とスキャニング、レンジングなどの過程を含む初期接続手順（ｉｎｉｔｉａｌ  ｎｅｔｗｏｒｋ  ｅｎｔｒｙ）を行う（Ｓ３０１）。
【００６７】
端末と基地局は、登録要請／応答（ＡＡＩ＿ＲＥＧ−ＲＥＱ／ＲＳＰ）メッセージを通じて相互間のマルチキャリア能力（Ｍｕｌｔｉｃａｒｒｉｅｒ  Ｃａｐａｂｉｌｉｔｉｅｓ）に関する情報を交換することができる（Ｓ３０２、Ｓ３０３）。
【００６８】
基地局は端末にＡＡＩ＿ＲＥＧ−ＲＳＰメッセージを伝送した後に、グローバルキャリア設定（ＡＡＩ＿Ｇｌｏｂａｌ−ＣＦＧ）メッセージを伝送することができる（Ｓ３０４）。
【００６９】
グローバルキャリア設定メッセージには、ネットワークで支援する全ての可用キャリアに関する情報が含まれる。
【００７０】
また、端末は基地局から周期的に放送されるマルチキャリア公示（ＡＡＩ＿ＭＣ−ＡＤＶ）メッセージを受信し、基地局のマルチキャリア設定に関する情報を獲得することができる（Ｓ３０５）。
【００７１】
その後、端末は、獲得した情報を用いて基地局の可用キャリアのマルチキャリア設定（ｍｕｌｔｉｃａｒｒｉｅｒ  ｃｏｎｆｉｇｕｒａｔｉｏｎｓ）によって自身が支援できるキャリア（ＡＭＳ’ｓ  ｓｕｐｐｏｒｔａｂｌｅ  ｃａｒｒｉｅｒｓ）に関する情報を、マルチキャリア要請（ＡＡＩ＿ＭＣ−ＲＥＱ）メッセージを通じて基地局に知らせる方法で、割当キャリアのリストを基地局に要請することができる（Ｓ３０６）。
【００７２】
基地局は、端末から受信した情報に基づき、自身の可用キャリアのうち端末のセカンダリキャリアとして割り当てられるサブセットを決定して割当キャリアリストを決定し、マルチキャリア応答（ＡＡＩ＿ＭＣ−ＲＳＰ）メッセージを通じてそれを端末に知らせることができる（Ｓ３０７）。
【００７３】
続いて、基地局は、サービス品質（ＱｏＳ）要求に基づく判断により、端末に割り当てた割当キャリアの活性化／非活性化をキャリア管理命令（ＡＡＩ＿ＣＭ−ＣＭＤ）メッセージを通じて端末に指示することができる（Ｓ３０８）。
【００７４】
図４は、本発明の適用されるマルチキャリア環境においてターゲット基地局のセカンダリキャリアがあらかじめ端末に割り当てられるハンドオーバー手順の一例を説明するための図である。
【００７５】
図４では、端末と各基地局のキャリア１（ｃａｒｒｉｅｒ  １）がプライマリキャリアであり、キャリア２以外の残りキャリアがセカンダリキャリアであるとする。
【００７６】
まず、端末は、プライマリキャリア（キャリア１）を通じてサービング基地局に網初期／再進入を行い、図３を参照して説明した手順によって一つ以上のセカンダリキャリアを活性化させ、それを用いたデータ交換を行うことができる（Ｓ４１０）。
【００７７】
続いて、端末は、所定のハンドオーバートリガー条件を満たすと、プライマリキャリアを通じてサービング基地局にハンドオーバー要請（ＡＡＩ−ＨＯ−ＲＥＱ）メッセージを伝送することができる。この時、端末は、ハンドオーバー要請メッセージにキャリア先割当指示子（Ｃａｒｒｉｅｒ  Ｐｒｅａｓｓｉｇｎｍｅｎｔ  Ｉｎｄｉｃａｔｉｏｎ）フィールドを含めることで、セカンダリキャリアをあらかじめ割り当てることをターゲット基地局に要請することができる。これに応じて、サービング基地局は、バックボーン（Ｂａｃｋｅｎｄ、ＢａｃｋｂｏｎｅまたはＢａｃｋｈａｕｌ）網を通じて、端末のマルチキャリア能力（ＭＣ  ｃａｐａｂｉｌｉｔｙ）情報、及び端末がセカンダリキャリア先割当を要請したことを知らせる。ターゲット基地局は、端末のマルチキャリア能力を考慮して、あらかじめ割り当てるセカンダリキャリアを決定し、それに関する情報（ｃａｒｒｉｅｒ  ａｓｓｉｇｎｍｅｎｔ  ｉｎｆｏｒｍａｔｉｏｎ）をサービング基地局に伝送する。サービング基地局は、ターゲット基地局から受信したセカンダリキャリア先割当情報をハンドオーバー命令（ＡＡＩ−ＨＯ−ＣＭＤ）メッセージに含めて端末に伝送する（Ｓ４２０）。
【００７８】
ハンドオーバー命令メッセージにおいて、当該端末にあらかじめ割り当てられたターゲット基地局のセカンダリキャリアは、物理キャリアインデックス（Ｐｈｙｓｉｃａｌ  ｃａｒｒｉｅｒ  ｉｎｄｅｘ  ｏｆ  ｔｈｅ  ｓｅｃｏｎｄａｒｙ  ｃａｒｒｉｅｒ  ｉｎｄｅｘ）により端末に指示されうる。
【００７９】
次に、端末は、プライマリキャリアを通じてターゲット基地局にレンジングを試み、レンジングに成功すると、残りの網再進入手順を行って網再進入を完了する（Ｓ４３０）。
【００８０】
プライマリキャリアを通じた網再進入が完了すると、端末は、あらかじめ割り当てられたセカンダリキャリアの活性化を試みることができる（Ｓ４４０）。特に、端末は、あらかじめ割り当てられたセカンダリキャリアのうち、ハンドオーバー命令メッセージのキャリア状態指示（Ｃａｒｒｉｅｒ  Ｓｔａｔｕｓ  Ｉｎｄｉｃａｔｉｏｎ）フィールドが設定されたセカンダリキャリアを、ハンドオーバーが完了した直後に活性化させる。
【００８１】
上記の手順のように、ターゲット基地局のセカンダリキャリアがあらかじめ端末に割り当てられる場合に、一般的には、ターゲット基地局と端末間で端末のマルチキャリア能力（ＭＣ  ｃａｐａｂｉｌｉｔｙ）に対する再交渉は行われない。これは、ターゲット基地局がサービング基地局から端末のマルチキャリア能力情報をバックボーン網を通じて獲得するからである。しかし、サービング基地局がターゲット基地局に伝達する端末のマルチキャリア能力（ＭＣ  ｃａｐａｂｉｌｉｔｙ）情報は、サービング基地局のマルチキャリア設定に基づいて作成された情報であるから、ターゲット基地局のマルチキャリア設定（ＭＣ  ｃｏｎｆｉｇｕｒａｔｉｏｎ）がサービング基地局のそれと異なる場合は、最適のセカンダリキャリアを割り当てることが難しくなる。
【００８２】
そこで、本発明では、サービング基地局が端末にターゲット基地局とマルチキャリア能力を交渉することを指示したり、端末がサービング基地局とターゲット基地局のマルチキャリア設定を比較し、両者が異なると、マルチキャリア能力を交渉するようにすることを提案する。
【００８３】
（端末の判断によるマルチキャリア能力の交渉）
本発明の一実施例では、端末がターゲット基地局とサービング基地局のマルチキャリア設定が異なっていることを認識した場合に、ハンドオーバーを行った後、ターゲット基地局とマルチキャリア能力について交渉することを提案する。この場合、端末は、ターゲット基地局とサービング基地局のマルチキャリア設定が異なっているか否かを隣公示メッセージ（ＡＡＩ−ＮＢＲ−ＡＤＶ）から判断できる。すなわち、隣公示メッセージには周辺基地局のシステム情報が含まれ、これを用いてターゲット基地局のマルチキャリア設定がサービング基地局と異なっているか否かを判断できる。以下、図５を参照して、本発明の一実施例に係るマルチキャリアハンドオーバー手順及びそれに続くマルチキャリア能力交渉手順について説明する。
【００８４】
図５には、本発明の一実施例に係るマルチキャリア環境でのハンドオーバー手順の一例を示す。図５では、プライマリキャリアのみ示すが、セカンダリキャリアの活性化及びそれを用いたデータ交換も行える環境を仮定する。
【００８５】
図５を参照すると、マルチキャリア環境で、端末はサービング基地局と一つ以上のキャリアを通じてデータ交換を行うことができる（Ｓ５０１）。
【００８６】
また、端末は、サービング基地局から所定周期で伝送される隣公示（ＡＡＩ−ＮＢＲ−ＡＤＶ）メッセージを受信し、隣接基地局のシステム情報を獲得することができる（Ｓ５０２）。
【００８７】
その後、端末は、所定のハンドオーバートリガー条件を満たすと、基地局にハンドオーバー要請メッセージを伝送することができる（Ｓ５０３）。ハンドオーバー要請メッセージにはキャリア先割当指示子（Ｃａｒｒｉｅｒ  Ｐｒｅａｓｓｉｇｎｍｅｎｔ  Ｉｎｄｉｃａｔｉｏｎ）フィールドが設定される。
【００８８】
これにより、サービング基地局は、バックボーン（Ｂａｃｋｅｎｄ、ＢａｃｋｂｏｎｅまたはＢａｃｋｈａｕｌ）網を通じて、端末のマルチキャリア能力（ＭＣ  ｃａｐａｂｉｌｉｔｙ）情報、及び端末がセカンダリキャリア先割当を要請したことを知らせる（Ｓ５０４）。
【００８９】
ターゲット基地局は、端末のマルチキャリア能力を考慮して、あらかじめ割り当てるセカンダリキャリアを決定し、それに関する情報（ｃａｒｒｉｅｒ  ａｓｓｉｇｎｍｅｎｔ  ｉｎｆｏｒｍａｔｉｏｎ）をサービング基地局に伝送する（Ｓ５０５）。
【００９０】
サービング基地局は、ターゲット基地局から受信したセカンダリキャリア先割当情報を、ハンドオーバー命令（ＡＡＩ−ＨＯ−ＣＭＤ）メッセージに含めて端末に伝送する（Ｓ５０６）。
【００９１】
端末は、プライマリキャリアを通じてターゲット基地局にレンジングを試み、レンジングに成功すると、残りの網再進入手順を行って網再進入を完了する（Ｓ５０７）。
【００９２】
その後、端末は、隣公示メッセージから獲得したターゲット基地局のシステム情報を用いて、ターゲット基地局のマルチキャリア設定がサービング基地局のそれと異なっていると判断した場合は、マルチキャリア要請／応答メッセージをターゲット基地局と交換して、マルチキャリア能力の交渉を新しく行うことができる（Ｓ５０８、Ｓ５０９）。すなわち、端末は、マルチキャリア要請（ＡＡＩ−ＭＣ−ＲＥＱ）メッセージの伝送を通じて割当キャリア（ａｓｓｉｇｎｅｄ  ｃａｒｒｉｅｒ）の変更をターゲット基地局に要請することができる。
【００９３】
もちろん、端末は、ターゲット基地局へと網再進入を終えた後に、キャリア管理指示（ＡＡＩ−ＣＭ−ＩＮＤ）メッセージをターゲット基地局に伝送して、あらかじめ割り当てられたセカンダリキャリアを直ちに活性化させることもでき、交渉を終えた後に新しくセカンダリキャリアを割り当てられて活性化させることもできる。例えば、基地局は、端末から特定時点（例えば、活性化限界点：Ａｃｔｉｖａｔｉｏｎ  Ｄｅａｄｌｉｎｅ）までキャリア管理指示メッセージが受信されないと、キャリア管理命令（ＡＡＩ−ＣＭ−ＣＭＤ）メッセージを伝送して、他のセカンダリキャリアの活性化を端末に指示することもできる。
【００９４】
図５では、端末は、ハンドオーバー要請メッセージを伝送する前に、隣公示メッセージを受信するとしているが、これは例示であり、隣公示メッセージは、端末がサービング基地局と接続を解除するまではいつでも受信することができる。
【００９５】
一方、端末は、ターゲット基地局のＡＡＩ−ＭＣ−ＡＤＶメッセージを、前に受信したサービング基地局のＡＡＩ−ＭＣ−ＡＤＶメッセージと比較することによって、両者のマルチキャリア設定情報が異なるか否かを判断することもできる。ＡＡＩ−ＭＣ−ＡＤＶメッセージは、ハンドオーバー実行中にスキャニング過程などでターゲット基地局を発見した後に受信することもでき、ターゲット基地局へのハンドオーバーを終えた後に受信することもできる。
【００９６】
（サービング基地局の判断によるマルチキャリア能力の交渉）
本発明の他の実施例では、サービング基地局がターゲット基地局から端末にあらかじめ割り当てたセカンダリキャリア情報を受信すると、サービング基地局は、ターゲット基地局のマルチキャリア設定が自身のそれと同一であるか否かを判断し、異なる場合は、端末にターゲット基地局とマルチキャリア能力の交渉を行うように指示することを提案する。
【００９７】
そのために、サービング基地局は、端末にターゲット基地局とマルチキャリア能力の交渉を行うように指示する情報を、ハンドオーバー命令メッセージに含めることができる。このような情報を、本明細書では、便宜上、マルチキャリア要請／応答メッセージ交換指示子（ＡＡＩ−ＭＣ−ＲＥＱ／ＲＳＰ  ｅｘｃｈａｎｇｅ  ｉｎｄｉｃａｔｏｒ）と呼ぶ。
【００９８】
マルチキャリア要請／応答メッセージ交換指示子情報がフィールドの形態でハンドオーバー命令メッセージに含まれる形態の一例を、下記の表１に示す。
【００９９】
【表１】
2013528028.tif 000003
表１を参照すると、マルチキャリア要請／応答メッセージ交換指示子フィールドが０に設定されると、端末に、先割当セカンダリキャリア情報に基づくセカンダリキャリアの活性化をそのまま行うことを指示することができる。逆に、当該フィールドが１に設定されると、端末に、ハンドオーバーが完了した後にターゲット基地局にマルチキャリア要請メッセージを伝送してマルチキャリア能力の交渉を行うことを指示することができる。
【０１００】
上述したように、マルチキャリア要請／応答メッセージ交換指示子フィールドを含むハンドオーバー命令メッセージ及びフィールド値によってマルチキャリア能力の交渉を行うか否かに関する手順を除く残りのマルチキャリアハンドオーバー手順は、図４を参照して説明した手順に従えばよいので、明細書の簡明さのために重複説明を省略する。
【０１０１】
上述した方法によって端末と基地局はより効率的にセカンダリキャリアを割り当て且つ活性化させることによってマルチキャリア動作を行うことが可能になる。
【０１０２】
（端末及び基地局構造）
以下、本発明の他の実施例として、上述した本発明の実施例を実行できる端末及び基地局（ＦＢＳ、ＭＢＳ）について説明する。
【０１０３】
端末は、アップリンクでは送信機として動作し、ダウンリンクでは受信機として動作できる。また、基地局は、アップリンクでは受信機として動作し、ダウンリンクでは送信機として動作できる。すなわち、端末及び基地局は、情報またはデータの伝送のために送信機及び受信機を含むことができる。
【０１０４】
送信機及び受信機は、本発明の実施例を実行するためのプロセッサ、モジュール、部分及び／または手段などを有することができる。特に、送信機及び受信機は、メッセージを暗号化するためのモジュール（手段）、暗号化したメッセージを解析するためのモジュール、メッセージを送受信するためのアンテナなどを有することができる。このような送信端と受信端の一例を、図６を参照して説明する。
【０１０５】
図６は、本発明の他の実施例であって、送信端及び受信端の構造の一例を示すブロック図である。
【０１０６】
図６を参照すると、左側は送信端の構造を示し、右側は受信端の構造を示している。送信端及び受信端のそれぞれは、アンテナ５，１０、プロセッサ２０，３０、伝送モジュール（Ｔｘ  ｍｏｄｕｌｅ）４０，５０、受信モジュール（Ｒｘ  ｍｏｄｕｌｅ）６０，７０及びメモリー８０，９０を有することができる。各構成要素は、互いに対応する機能を実行することができる。以下、各構成要素についてより詳細に説明する。
【０１０７】
アンテナ５，１０は、伝送モジュール４０，５０で生成された信号を外部に伝送したり、外部から無線信号を受信して受信モジュール６０，７０に伝達する機能を担う。多重アンテナ（ＭＩＭＯ）機能が支援される場合には、２個以上が設けられてもよい。
【０１０８】
アンテナ、伝送モジュール及び受信モジュールは共に、無線通信（ＲＦ）モジュールを構成することができる。
【０１０９】
プロセッサ２０，３０は、通常、移動端末機の全般動作を制御する。例えば、上述した本発明の実施例を実行するためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを実行することができる。より具体的に、プロセッサ２０、３０は、図３乃至図５に示すキャリア設定情報の獲得／更新／ハンドオーバー手順を行うための制御全般を行うことができる。
【０１１０】
特に、移動端末機のプロセッサは、マルチキャリア環境においてターゲット基地局のセカンダリキャリア先割当をハンドオーバー要請メッセージを通じて要請することができ、ハンドオーバー命令メッセージに、あらかじめ割り当てられたセカンダリキャリアに関する情報が含まれた場合に、ターゲット基地局への網再進入を終えた後に、該当のセカンダリキャリアを活性化させることができる。ただし、サービング基地局から受信した隣公示メッセージを用いて、ターゲット基地局のマルチキャリア設定がサービング基地局のそれと異なると判断した場合は、プロセッサは、ターゲット基地局への網再進入を完了した後にマルチキャリア要請メッセージを伝送してマルチキャリア能力の再交渉を行うことができる。
【０１１１】
その他にも、端末のプロセッサは、上述した実施例に開示された動作の全般的な制御動作を行うことができる。
【０１１２】
伝送モジュール４０，５０は、プロセッサ２０，３０からスケジューリングされて外部に伝送されるデータに、所定の符号化（ｃｏｄｉｎｇ）及び変調（ｍｏｄｕｌａｔｉｏｎ）を行った後にアンテナ１０に伝達することができる。
【０１１３】
受信モジュール６０，７０は、外部からアンテナ５，１０を介して受信した無線信号に復号（ｄｅｃｏｄｉｎｇ）及び復調（ｄｅｍｏｄｕｌａｔｉｏｎ）を行い、原本データの形態に復元してプロセッサ２０，３０に伝達することができる。
【０１１４】
メモリー８０，９０は、プロセッサ２０，３０の処理及び制御のためのプログラムを格納することもでき、入／出力されるデータを臨時記憶する機能を担うこともできる。また、メモリー８０，９０は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクの少なくとも一タイプの記憶媒体を含むことができる。
【０１１５】
一方、基地局は、上述した本発明の実施例を実行するためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（Ｈａｎｄｏｖｅｒ）機能、認証及び暗号化機能、データ伝送のためのパケット変復調機能、高速パケットチャネルコーディング機能、及び実時間モデム制御機能などを、上述したモジュールの少なくとも一つにより行ってもよく、これらの機能を実行するための別の手段、モジュールまたは部分などをさらに備えてもよい。
【０１１６】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【０１１７】
上述のような広帯域無線接続システムにおいてより効率的にマルチキャリアハンドオーバーを行う手順及びそのための端末構造は、ＩＥＥＥ  ８０２．１６ｍシステムに適用される例を中心に説明したが、ＩＥＥＥ  ８０２．ｘｘシステムの他、３ＧＰＰ／３ＧＰＰ２のような様々な移動通信システムにも適用可能である。
【図１】
2013528028.tif 000004
【図２】
2013528028.tif 000005
【図３】
2013528028.tif 000006
【図４】
2013528028.tif 000007
【図５】
2013528028.tif 000008
【図６】
2013528028.tif 000009
【国際調査報告】
2013528028.tif 000010
2013528028.tif 000011
2013528028.tif 000012
2013528028.tif 000013